(57)【要約】      （修正有）【課題】疾患者等の咄嗟の使用が容易に行うことができるとともに口腔内リンシング後の吐液処理も一連の動作・操作にて簡単に処理することができ、しかも常時の携帯、処理後の携行を衛生的に簡単に遂行できる。さらには量産に適し安価に実用性に富んだ口腔内リンシング用の口腔内リンシングセットを提供する。【解決手段】１回分の洗口剤と、この洗口剤による口腔内リンシング後の吐下液を吸湿処理する吸湿剤部９を内装したコップ本体１と、コップ体１の洗口剤と吸湿剤の使用に際する開口部１１を備えることにより、コップ体１の開口部１１を開口し、洗口剤を吸引しつつ口腔内のリンシングを行うとともに口腔内リンシング後の口腔内リンシング処理液を、コップ体１内に吐下し、吸湿剤９にて吸湿しつつ処理することができるように構成した。【選択図】図１
2014030519.tif 000002
【特許請求の範囲】
【請求項１】
１回分の洗口剤と、この洗口剤による口腔内リンシング後の吐下液を吸湿処理する吸湿剤を内装したコップ本体と、当該コップ体の前記洗口剤と吸湿剤の使用に際する開口部を備えることにより、前記コップ体の開口部を開口し、前記洗口剤を吸引しつつ口腔内のリンシングを行うとともに口腔内リンシング後の口腔内リンシング処理液を、前記コップ体内に吐下し、前記吸湿剤にて吸湿しつつ処理することができるように構成したことを特徴とする口腔内リンシングセット。
【請求項２】
前記洗口剤は、前記コップ体内に内装した洗口剤部に充填するとともに当該洗口剤部の吸引手段を介して吸引しつつ使用することができるように構成したことを特徴とする請求項１記載の口腔内リンシングセット。
【請求項３】
前記洗口剤部の吸引手段は、当該洗口剤部に設けた開閉自在な吸引用の口部あるいは当該洗口剤部に備える吸引用のストローにより構成したことを特徴とする請求項２記載の口腔内リンシングセット。
【請求項４】
前記吸湿剤は、前記コップ体内に内装した吸湿性高分子等の吸湿剤あるいは、前記コップ体内の内壁に張設した吸湿剤シートにより構成したことを特徴とする請求項１〜３記載の口腔内リンシングセット。
【請求項５】
前記コップ体の開口部は、形状記憶プラスチック板等の開閉補助板を張設し、開閉操作時の開閉作用を適確、容易にすることができるように構成したことを特徴とする請求項１〜４記載の口腔内リンシングセット。
【請求項６】
１回分の洗口剤と、この洗口剤に口腔内リンシング後の吐下液を吸湿処理する吸湿剤を内装したコップ本体と、当該コップ体の前記洗口剤と吸湿剤の使用に際する開口部を備えるとともに前記洗口剤と吸湿剤の使用前後における開口部のシール手段を備えることにより、前記コップ体の開口部のシール手段を介して開口し、前記洗口剤を吸引しつつ口腔内のリンシングを行うとともに口腔内リンシング後の口腔内リンシング処理液を、前記コップ体内に吐下し、前記吸湿剤にて吸湿しつつ処理することができるように構成したことを特徴とする請求項１〜５記載の口腔内リンシングセット。
【請求項７】
前記コップ体の開口部のシール手段は、開口部にジップロック（登録商標）を設けるか、あるいは粘着テープを張設することにより構成したことを特徴とする請求項１〜６記載の口腔内リンシングセット。
【請求項８】
１回分の洗口剤を充填するとともに当該洗口剤を吸引する吸引手段を備える洗口剤部をコップ体内に内装するとともに前記コップ体内に吸湿性高分子等の吸湿剤を充填するか、あるいは当該コップ体の内壁に吸湿剤シートを張設することにより前記コップ体内に吸湿剤部を内装し、さらに前記コップ体の開口部に折曲自在な遮蔽片を設けるとともに前記コップ体の左右両側部を内側に折曲自在に形成することにより口腔内リンシングセットを構成し、前記コップ体内に内装した洗口剤部の吸引手段を介して洗口剤を吸引しつつ口腔内のリンシングを行うとともに、前記コップ体の左右両側部を外側に折り返して開口部を拡開しつつ当該コップ体内にリンシング後の口腔内リンシングの処理液を吐下し、これをコップ体内の吸湿部材の吸湿剤にて吸湿処理した後、前記コップ体の遮蔽片を内側に折曲し、かつ左右両側部を内側に折り畳み前記コップ体の開口部を密閉しつつ処理することができるように構成したことを特徴とする口腔内リンシングセット。
【発明の詳細な説明】
【技術分野】
【０００１】
本発明は、疾患者の口腔内リンシング用、あるいはエチケット用として手軽に使用することができるとともに携行に便利な口腔内リンシングセットに関するものである。
【背景技術】
【０００２】
近時は、外出先あるいは旅行先等の随意のうがいを目的とした携帯用紙コップ付きうがい薬等が提案されている。
【０００３】
例えば、登録実用新案第３０２４６４３号公報（特許文献１）は、人々の健康管理のため帰社時や帰宅時にうがいをするのは勿論のこと、外出先でも簡単に清潔なうがいが行えるように携帯用紙コップ付きうがい薬を提供する目的をもち、紙コップは１枚の防水加工をした紙をかき混ぜやすくする為に下部が少し細くなるように折り畳み、水や溶液が漏れにくいようにプレス加工を施して袋状にしたものであるとともに上部には、切り取りやすいようにミシン目が入っており、中部には水を注入する際のメモリが書いてあり、更にその袋状の紙コップの中にうがい薬をかき混ぜるかき混ぜ棒が入っているものである。
【０００４】
又、この特許文献１とは別に、薬液によるうがい行為と、その吐液処理が同時かつ衛生的に行えることを可能にした携帯用うがいパウチ容器が特開２０１１−１３９７５９号公報（特許文献２）により提案されている。
【０００５】
そして、かかるパウチ容器は、容器室を上下に分断する位置に指の力程度で開放が可能な遮蔽部を設け、スパウトに直結する上部を薬液室、下部を吐液処理室として分離する、薬液室にうがい薬などのうがい溶液が注入され、吐液処理室には吸水性高分子あるいは不織布あるいはそれらに殺菌成分などを付加しうがい行為後の吐液を保存・保持する吐液吸収物質を封入してある。
【０００６】
遮蔽部は、付属する先端が注針状のストローなどで容易に破断貫通が可能な隔膜状の薄いシートの設置、あるいは該パウチ容器を剥離可能なヒートシール処理、あるいは封止クリップ等の器具を装着するなどで遮蔽する構成のものである。
【先行技術文献】
【特許文献】
【０００７】
【特許文献１】登録実用新案第３０２４６４３号公報
【特許文献２】特開２０１１−１３９７５９号公報
【発明の概要】
【発明が解決しようとする課題】
【０００８】
前記特許文献１のような携帯用紙コップの場合には、これを使用する際に必ずうがい用の水等が必要となり、疾患者や咄嗟の口腔用リンシングには不向きであるとともに、うがい後の処理を環境的、衛生的に処理しづらい欠点を有するものである。
【０００９】
他方、特許文献２のパウチ容器にあっては、前記携帯用紙コップにおける前記問題点を解消し得るが反面、容器がかさばり携行に不便な欠点を有するとともに、使用に際しての使用方法に即座のうがいや、うがい後の吐液処理方法にも手間が掛かり、使用方法に難点を有するものである。
しかも、構成が複雑で量産性には不向きであるとともに安価な提供ができない欠点があり、実用化に難点を有するものである。
【００１０】
因って、本発明は前記従来題案されて、あまり実用化に至っていない実情に鑑みて疾患者等の咄嗟の使用が容易に行うことができるとともに口腔内リンシング後の吐液処理も一連の動作・操作にて簡単に処理することができ、しかも常時の携帯、処理後の携行を衛生的に簡単に遂行できる。さらには量産に適し安価に実用性に富んだ口腔内リンシング用の口腔内リンシングセットの提供を目的とするものである。
【課題を解決するための手段】
【００１１】
本発明の口腔内リンシングセットは、前記目的を達成するために請求項１の発明は、１回分の洗口剤と、この洗口剤による口腔内リンシング後の吐下液を吸湿処理する吸湿剤を内装したコップ本体と、当該コップ体の前記洗口剤と吸湿剤の使用に際する開口部を備えることにより、前記コップ体の開口部を開口し、前記洗口剤を吸引しつつ口腔内のリンシングを行うとともに口腔内リンシング後の口腔内リンシング処理液を、前記コップ体内に吐下し、前記吸湿剤にて吸湿しつつ処理することができるように構成したことを特徴とする。
【００１２】
請求項２の発明は、請求項１の口腔内リンシングセットにおいて、前記洗口剤は、前記コップ体内に内装した洗口剤部に充填するとともに当該洗口剤部の吸引手段を介して吸引しつつ使用することができるように構成したことを特徴とする。
【００１３】
請求項３の発明は、請求項２の口腔内リンシングセットにおいて、前記洗口剤部の吸引手段は、当該洗口剤部に設けた開閉自在な吸引用の口部あるいは当該洗口剤部に備える吸引用のストローにより構成したことを特徴とする。
【００１４】
請求項４の発明は、請求項１〜３の口腔内リンシングセットにおいて、前記吸湿剤は、前記コップ体内に内装した吸湿性高分子等の吸湿剤あるいは、前記コップ体内の内壁に張設した吸湿剤シートにより構成したことを特徴とする。
【００１５】
請求項５の発明は、請求項１〜４の口腔内リンシングセットにおいて、前記コップ体の開口部は、形状記憶プラスチック板等の開閉補助板を張設し、開閉操作時の開閉作用を適確、容易にすることができるように構成したことを特徴とする。
【００１６】
請求項６の発明は、請求項１の口腔内リンシングセットにおいて、１回分の洗口剤と、この洗口剤に口腔内リンシング後の吐下液を吸湿処理する吸湿剤を内装したコップ本体と、当該コップ体の前記洗口剤と吸湿剤の使用に際する開口部を備えるとともに前記洗口剤と吸湿剤の使用前後における開口部のシール手段を備えることにより、前記コップ体の開口部のシール手段を介して開口し、前記洗口剤を吸引しつつ口腔内のリンシングを行うとともに口腔内リンシング後の口腔内リンシング処理液を、前記コップ体内に吐下し、前記吸湿剤にて吸湿しつつ処理することができるように構成したことを特徴とする。
【００１７】
請求項７の発明は、請求項６の口腔内リンシングセットにおいて、前記コップ体の開口部のシール手段は、開口部にジップロック（登録商標）を設けるか、あるいは粘着テープを張設することにより構成したことを特徴とする。
【００１８】
請求項８の発明は、１回分の洗口剤を充填するとともに当該洗口剤を吸引する吸引手段を備える洗口剤部をコップ体内に内装するとともに吸湿性高分子等の吸湿剤を充填するか、あるいは当該コップ体の内壁に吸湿剤シートを張設することにより前記コップ体内に吸湿剤部を内装し、さらに前記コップ体の開口部に折曲自在な遮蔽片を設けるとともに前記コップ体の左右両側部を内側に折曲自在に形成することにより口腔内リンシングセットを構成し、前記コップ体内に内装した洗口剤部の吸引手段を介して洗口剤を吸引しつつ口腔内のリンシングを行うとともに、前記コップ体の左右両側部を外側に折り返して開口部を拡開しつつ当該コップ体内にリンシング後の口腔内リンシング処理液を吐下し、これをコップ体内の吸湿剤部の吸湿剤にて吸湿処理した後、前記コップ体の遮蔽片を内側に折曲し、かつ左右両側部を内側に折り畳み、前記コップ体の開口部を密閉しつつ処理することができるように構成したことを特徴とする。
【発明の効果】
【００１９】
本発明の口腔内リンシングセットによれば、コップ体を手にて把持しつつ開口部を開口した後、洗口剤の吸引、口腔内のリンシング、リンシング後の吐下液の吐下処理、さらに吐下液処理後のコップ体の開口部の密閉とによる当該コップ体の一連の操作処理により必要な口腔内のリンシングを簡便に行うことができるとともにコンパクトで携行に至便であるばかりではなく、要求される口腔内リンシングについて広範囲な使用、利用に適用することができ、さらには製品の管理、運搬にも至便で、かつ安価に提供することができるものである。
【図面の簡単な説明】
【００２０】
【図１】本発明口腔内リンシングセットの実施例１を示す口腔内リンシングセットの正面図
【図２】本発明口腔内リンシングセットの実施例１を示すもので（ａ）、（ｂ）はコップ体の開口及び使用方法を示す説明図
【図３】本発明口腔内リンシングセットの実施例１の洗口剤部の構成を示す説明図
【図４】（ａ）〜（ｅ）は図３とは別の実施例を示す洗口剤部の構成を示す説明図
【図５】図５は本発明口腔内リンシングセットの実施例２を示すもので、（ａ）は口腔内リンシングセットの構成を示す説明図、（ｂ）、（ｃ）は使用方法を示す説明図
【図６】図６は本発明口腔内リンシングセットの実施例３を示すもので、（ａ）は口腔内リンシングセットの構成を示す説明図、（ｂ）は使用方法を示す説明図
【図７】図７は本発明口腔内リンシングセットの実施例４を示すもので、（ａ）は口腔内リンシングセットの構成を示す説明図、（ｂ）、（ｃ）は使用方法を示す説明図
【図８】図８は本発明口腔内リンシングセットの実施例５を示すもので、（ａ）〜（ｃ）はコップ体の構成および使用方法を示す説明図、（ｄ）〜（ｆ）は洗口剤部の構成および使用方法を示す説明図
【発明を実施するための形態】
【００２１】
本発明口腔内リンシングセットの実施をするための最良の形態は、１回分の洗口剤と、この洗口剤による口腔内リンシング後の吐下液を吸湿処理する吸湿剤を内装したコップ本体と、当該コップ体の前記洗口剤と吸湿剤の使用に際する開口部を備えることにより、前記コップ体の開口部を開口し、前記洗口剤を吸引しつつ口腔内のリンシングを行うとともに口腔内リンシング後の口腔内リンシング処理液を、前記コップ体内に吐下し、前記吸湿剤にて吸湿しつつ処理することができるように構成して実施する。
【実施例１】
【００２２】
図１〜４は本発明口腔内リンシングセットの実施例１を示すもので図１は口腔内リンシングセットの正面図、図２（ａ）、（ｂ）はコップ体の開口及び使用方法を示す説明図、図３は洗口剤部の構成を示す説明図、図４（ａ）〜（ｅ）は図３とは別の実施例を示す洗口剤部の構成を示す説明図である。
【００２３】
本発明の実施例１にかかる口腔内リンシングセットは、図１および３に示すように、コップ体１内に１回分の洗口に必要な量の洗口剤(液)２を充填した洗口剤部３を内装することにより構成してある。
【００２４】
そして、前記コップ体１は、紙製あるいは合成樹脂製の長辺三角形状の前後両側板４，５の周辺部６ａをシートシール等の適宜の溶着あるいは接着方法等の手段により水密的に密閉するとともに前後両側板４，５の開口縁６ｂには開封用切欠部７を備える開封片８を、開口縁６ｂに設けたジップロック７（登録商標）を介して連設することによりコップ体１の開口部１１を形成してある。
【００２５】
又、コップ体１の開口部１１は、前後両側板４，５の開口縁６ｂの内側に形状記憶プラスチック板１２ａ、１２ｂを添着（張設）してある。そこで図２（ａ）、（ｂ）に示すようにコップ体１の開口部１１の開封に際して、開封用切欠部７を介して開封片８を切除(図２(ａ))し、開口縁６ｂに軽く圧力をかけることにより、前記形状記憶プラスチック板１２ａ、１２ｂの形状記憶作用によって、コップ体１の開口部１１を拡開しつつ開口することができるように構成してある。
【００２６】
そして、前記コップ体１内に内装した洗口剤部３は、図３に示す如く洗口剤２を充填した袋体１３の口部１４に折曲部（蛇腹部）１５を介して、洗口剤２を吸引するための吸引手段となるストロー１６を設けることにより形成してある。袋体１３自体はコップ体１と同一材料にて一体に形成してある。
【００２７】
又、コップ体１内に内装するときには、折曲部１５を介して、コップ体１内に折曲した状態に内装し、使用する際は、図３の点線で示したようにコップ体１の開口部１１の外側に起立し、突出することにより洗口剤２の吸引を容易にできるように構成してある。
【００２８】
さらに、前記コップ体１の前後両側板４、５の内側面には、当該コップ体１内に吐下される洗口剤２による口腔内リンシング（口腔内を漱ぐ）後の吐下液を吸湿することのできる吸湿剤９としての吸湿性(剤)シート１８を張設することにより形成してある。
【００２９】
さて、以上の構成から成る本実施例１の口腔内リンシングセットＡを使用する場合には、コップ体１の開口部１１の開封用切欠部７を介して、開封片８を切除する(図２(ａ)、(ｂ))。
【００３０】
しかる後、コップ体１の開口部１１に軽く圧力をかけることにより図２(ｂ)に示すように形状記憶プラスチック板１２ａ、１２ｂの形状記憶作用により開口部１１を拡開開口することができ、コップ体１内に折り畳まれるストロー１６を起立しつつストロー１６の切除口１７を切除した後の吸引口２０を口に咥えて、洗口剤部３内の洗口剤２を口腔内に吸引し、口腔内のリンシング（漱ぎ）を行うことができる。
【００３１】
さらに、口腔内リンシング後の口腔内のリンシング処理液を開口している開口部１１のコップ体１に口を近づけつつコップ体１内に吐下することにより、吐下液はコップ体１の内側に張設(内装)される吸湿性シート１８にて吸湿処理することができる。
【００３２】
又、かかる吐下液の処理後は、開口部１１に再度軽く圧力をかけることにより形状記憶プラスチック板１２ａ、１２ｂの形状記憶作用にて開口部１１を閉鎖することができ、ジップロック(登録商標)１０により水蜜的に開口部１１を密閉することができる。
【００３３】
以上、本実施例１の口腔内リンシングセットＡによれば、コップ体１を片手に把持しつつ他方の片手にて開口部１１の開封、開口操作を行うこととともにストロー１６を開口部１１の外側に取り出し、その切除口１７を場合によっては口に咥えつつ切除し、さらにストロー１６の吸引口２０を口に咥えて洗口剤２を口腔内に吸引しつつ口腔内リンシングを行う。
【００３４】
しかも、その後の吐下液の吐下もコップ体１内の開口部１１を介して容易に行え、吐下後の吐下液もコップ体１内にて即座に吸湿処理できるとともにコップ体１の開口部１１を水蜜的に密閉しつつ口腔内リンシング後の口腔内リンシングセットＡを衛生的、環境的にも何等気を遣わずに携行し、所要の廃棄処理をすることができる。
さらには、口腔内リンシングセットＡを一般ゴミとして処理することのできる材質、材料にて形成することにより廃棄処分をも簡単に行うことができる。
【００３５】
尚、図４（ａ）〜（ｅ）には、前記実施例１における口腔内リンシングセットＡの洗口剤部３のストロー１６の切除口１７とは別の実施例を示すものである。
【００３６】
即ち、図４(ａ)において口腔内リンシングセットＡの使用に際しては、コップ体１内に折り畳んで内装されている洗口剤部３のストロー１６を矢印の如く引き起こした後、切除口１７を切除して吸引口２０を口に咥えつつ洗口剤部３内の洗口剤２を吸引し、口腔内のリンシングを行うのであるが、洗口剤２の水蜜的な充填を確保する場合には袋体１３自体に密閉して充填することによりコップ体１内に内装した場合には、ストロー１６の切除口１７を切除しても袋体１３より直接洗口剤２を吸引することができず、図４(ｂ)に示すようにストロー１６にストロー１６の長さに応じた長さの袋体１３の開封用針１９を設け、袋体１３の開封に際しては、この開封用針１９にて袋体１３を突き破りストロー１６の折曲部(蛇腹部)１５と袋体１３の連結部である口部１４を開口することにより、図４(ｂ)の吸引口２０を介して袋体１３に密封充填される洗口剤２を吸引することができるように構成したものである。
尚、開封用針１９と袋体１３の具体的構成については図示を省略する。
【００３７】
図４(ｃ)の場合には、切除口１７に換えてストロー１６の吸引口２０にネジキャップ２１を脱着自在に螺着して形成した場合、図４（ｄ）は吸引口２０を引き剥がしのできるシール片２２を張着することにより形成した場合、図４(ｅ)は吸引口２０に水蜜的に密閉することのできるキャップ２３を嵌着することにより形成した場合をそれぞれ示すもので、使用に際しては、図４(ｃ)はネジキャップ２１を外して、図４(ｄ)はシール片２２を剥がして、図４(ｅ)はキャップ２３を外してそれぞれストロー１６の吸引口２０を開口することにより使用するものである。
【実施例２】
【００３８】
図５（ａ）〜（ｃ）は本発明口腔内リンシングセットの実施例２を示すもので、（ａ）は口腔内リンシングセットの構成を示す説明図、（ｂ）、（ｃ）は使用方法を示す説明図である。
【００３９】
本実施例２の口腔内リンシングセットＢは、前記実施例１の口腔内リンシングセットＡを簡略して構成したもので、実施例１の口腔内リンシングセットＡにおけるコップ体１の開口部１１の構成中、開封片８の左側部８ａにストロー１６の吸引２０の履部２４を突設するとともにコップ体１内に内装する洗口剤部３の構成中、ストロー１６は予め１回分の洗口剤２を充填した袋体１３に対して装着された状態にて形成されている。
すなわち、ストロー１６と袋体１３の装着部１３ａは水蜜的に密着されて形成されている。
【００４０】
また、ストロー１６の吸引口２０にはキャップ２５を脱着自在に嵌着し、水蜜的に密閉することにより形成されている。
そして、前記袋体１３はコップ体１の内側に添着することにより内装されている。その他の口腔内リンシングセットＡの構成中の構成は省略されて構成されている。
【００４１】
よって以上の構成から成る実施例２の口腔内リンシングセットＢの使用に際しては、片手にてコップ体１を把持しつつ他方の手にて開封片８を開封用切欠部７を介して切除（図５(ｂ)）した後、ストロー１６のキャップ２４を取り出して吸引口２０を口に咥えて洗口剤部３内の洗口剤２を口腔内に吸引して口腔内リンシングを行う。
【００４２】
しかる後、リンシング後の口腔内の処理液は、両手にてコップ体１の開口部１１を拡開して広げつつこれに口を近づけてコップ体１内に吐下する。吐下された吐下液は、コップ体１の内側の吸湿剤９としての吸湿性（剤）シート１８に吸湿され処理される。
【００４３】
そこで、突出するストロー１６を図５(ｃ)に示す如く袋体１３中に押し込み、コップ体１内に挿入することにより使用を完了することができ、これをそのままゴミ処理するか、携行後に廃棄処理する。
【００４４】
尚ストロー１６は廃棄処理に当たり袋体１３中に押し込みコップ体１内に挿入したがストロー１６に備える折曲部(蛇腹部)１５を介して折曲しつつコップ体１内に内装することによって処理することも可能である。
【実施例３】
【００４５】
図６（ａ）、（ｂ）は本発明口腔内リンシングセットの実施例３を示すもので、（ａ）は口腔内リンシングセットの構成を示す説明図、（ｂ）は使用方法を示す説明図である。
【００４６】
本実施例３の口腔内リンシングセットＣは、実施例１の口腔内リンシングセットＡをさらに簡易化したもので、コップ体１を四角形の紙剤シートあるいはプラスチックシート等のシート材料にて形成した前後両側板４，５を、その周辺部２５を水密的に密閉して形成するとともに一側辺部２６に開口部１１を形成することにより構成する。
【００４７】
そして、当該コップ体１内には、実施例２と同様に内側に洗口剤部３として１回分の洗口剤２を充填した袋体１３を添着して内装する。
【００４８】
また、袋体１３には予め実施例２と同様にストロー１６を装着して形成するとともに当該ストロー１６は実施例１のストロー１６と同様に吸引口２０に切除口１７を形成した構成のものを使用する。
【００４９】
さらに、コップ体１の開口部１１は、前記一側辺部２６の両端に開封用切欠部７を設け、当該開封用切欠部７を介して開封片８を切除することにより開口部１１を開封することができるように構成してある。
【００５０】
又、前記洗口剤部３を構成するストロー１６の吸引用の吸引口２０は切除口１７とともにコップ体１の開口部１１より外側に突出した状態にセットされて構成されている（図６（ａ））。
【００５１】
以上の実施例３の口腔内リンシングセットＣを使用する場合には、前記実施例１，２と同様の方法により、口腔内リンシングを行うことができるとともにリンシング処理後のコップ体１を携行あるいは廃棄処理する場合には、図６（ｂ）に示すように四角形のコップ体１を三角形状に二折りして畳むことで処理するがその際には開口部１１より外側に突出するストロー１６を折曲部（蛇腹部）１５を介してコップ体１内に折曲しつつ内装した状態にて携行あるいは廃棄処理する。
【実施例４】
【００５２】
図７（ａ）〜（ｃ）は本発明口腔内リンシングセットの実施例４を示すもので、（ａ）は口腔内リンシングセットの構成を示す説明図、（ｂ）、（ｃ）は使用方法を示す説明図である。
【００５３】
本実施例の口腔内リンシングセットＤは、前記実施例１の口腔内リンシングセットＡ構成において、コップ体１の開口部１１は開封片８を切り取り線８ａにより切り離すことができるように形成するとともに当該開封片８の切除後の開口縁８ｂの内側には開口部１１のシール手段としてのジップロック（登録商標）１０を設けることにより形成する。
【００５４】
又、前記コップ体１内には、１回分の洗口剤２を充填した洗口剤部３としての袋体１３をコップ体１の前後両側板４，５のいずれか一方の内側に添着することにより内装するとともに口腔内リンシング後のリンシング処理液を口腔内より吐下する場合に使用する、吐下用筒体２７を、前記洗口剤２の袋体１３と同様にコップ体１の前後両側板４，５のいずれか一方の内側に添着することにより内装して構成する。
【００５５】
そして、前記洗口剤２の袋体１３には、折曲部２８を介して吸引手段としてのストロー１６が連設され、当該ストロー１６には切除口１７を形成し、これを切除することにより、洗口剤２を吸引する吸引口２０とすることができるように形成されている。
【００５６】
さらに、前記吐口用筒体２７には、折曲部２９を介して、円筒状の吐下用口部３０を連設することにより形成されている。
又、コップ体１内には、吸湿剤９としての吸湿性高分子（ポリマ）３１が内装してある。
【００５７】
因って、本実施例４の口腔内リンシングセットＤは、図７（ａ）に示す如くコップ体１内に洗口剤部３を構成する洗口剤２が袋体１３にて内装され、その吸引手段としてのストロー１６が折曲されて内装されるとともに口腔内リンシング後のリンシング処理液をコップ体１内に口腔内より吐下する場合に使用する吐下用筒体２７が内装され、かつこれに連設した吐下用口部３０を折曲部２９を介して、コップ体１内に折曲しつつ内装されることによりセットされて構成されている。
【００５８】
かかる構成の本実施例４の口腔内リンシングセットＤを使用する場合にはコップ体１を手にて把持しつつ開封片８を、切り取り線８ａを介して切除して、コップ体１の開口部１１を開口する。
【００５９】
しかる後、コップ体１の開口部１１を拡開しつつ、洗口剤部３としての袋体１３のストロー１６をコップ体１の外側に突出させて、その切除口１７を切除するとともにその吸引口２０を口に加えつつ袋体１３内の洗口剤２を口腔内に吸引し、口腔内のリンシングを行う。
【００６０】
そして、口腔内リンシング後の処理液をコップ体１内に吐下する場合には、図７（ｂ）に示すように、吐下用口部３０をコップ体１の外側に折り返しつつ突出せしめ、これを口に加えながら、吐下用口部３０を介して吐下用筒体２７に吐下し、当該吐下用筒体２７内よりコップ体１内に吐下される吐下処理液は、コップ体１内の吸湿性高分子ポリマ３１により吸湿処理される。
【００６１】
かかる、処理後には、図７（ｃ）に示す如く、吐下用口部３０とストロー１６を、再度コップ体１内に折り込んだ後、開口部１１をジップロック（登録商漂）１０にて密閉することにより携行あるいは直接ゴミ処理する。
【００６２】
特に、本実施例４の口腔内リンシングセットＤによれば、吐下用筒体２７に連設した吐下用口部３０を介して、口腔内リンシング後の吐下処理液をコップ体１内に吐下することができ、コップ体１の開口部１１に直接吐下する場合の口腔内リンシングセットＡ〜Ｃに比較して、コップ体１の外側に吐下漏れする虞を回避することができる。
【実施例５】
【００６３】
図８（ａ）〜（ｆ）は本発明口腔内リンシングセットの実施例５を示すもので、（ａ）〜（ｃ）はコップ体の構成および使用方法を示す説明図、（ｄ）〜（ｆ）は洗口剤部の構成および使用方法を示す説明図である。
【００６４】
本実施例５の口腔内リンシングセットＥは、コップ体１を折りたたみ自在に形成するとともに開口部１１のシール手段についても本体３２の拡開片３３、遮蔽板３４の折り込みによってシールすることができるように構成し、かつ洗口剤２を充填した袋体１３により、洗口剤部３を形成するとともに、前記コップ体１の後側板５の背面に内装用の袋部３７を形成し、当該袋部３７内に前記洗口剤部３を内装することにより構成したものである。
【００６５】
そして、かかる本実施例５の口腔内リンシングセットＥは、前記実施例１〜４に比較して、構成の簡略化とともに安価に製造することができ、より量産性を向上し得るようにしたものである。
【００６６】
すなわち、本実施例５の口腔内リンシングセットＥのコップ体１は、図８（ａ）〜（ｃ）に示す如く前後両側板４，５によりコップ体１の本体３２を形成するとともに本体３２の前後両側板４，５には、前側板４に拡開片３３を突設するとともに後側板５には、遮蔽片３４を突設することにより水密性を備える紙製あるいはビニールシートにて一体に形成する。
【００６７】
そして、かかるコップ体１は、前後両側板４，５を重合した状態にて、両側板４，５に突設した拡開片３３、遮蔽片３４を図８（ｂ）に示す如く、折目３５を介して、前側に折たたむとともに前後両側板４、５および拡開片３３、遮蔽片３４の左右両側部を折目３６ａ、３６ｂを介して、内側に折りたたむことにより図８（ａ）に示す如くすこぶる小型コンパクトにセットすることができるように構成されている。
【００６８】
さらに、コップ体１の前後両側板４，５の内側面には、吸湿性（剤）シート１８を張設することにより、吸湿剤部９を内装したものである。
【００６９】
尚、当該吸湿剤部９については、実施例４の吸湿性高分子ポリマ３１等の吸湿剤高分子を内装することにより構成することも可能である。
【００７０】
又、前記したように、１回分の洗口剤２を充填した袋体１３から成る洗口剤部３については、図８（ｄ），（ｆ）に示す如くこれを、前記コップ体１の後側板の背面に形成した内装用の袋部３７内に内装するとともに袋部３７の開口部３８には袋体１３に連設したストロー状部２０ａを備える吸引口２０を、伸縮自在に突設することにより形成されている。
【００７１】
そこで、図８（ｄ）に示す如く、コップ体１の後側板５に設けた内装用の袋部３７内に洗口剤２の袋体１３を内装するとともに当該袋体１３に連設した洗口剤２の吸引手段としてのストロー状部２０ａを備える吸引口２０を折り畳みつつ袋部３７内に縮小されている。
【００７２】
係る状態の本実施例５の口腔内リンシングセットＥを使用する場合には、袋部３７内に縮小される吸引口２０をカップ体１の背面開口部３８に突出する頭部３９を手指にてつまみだし（図８（ｄ）参照）、さらに袋部３７内に折り畳まれた吸引口２０を袋体３７の開口部３８より引き出して引き延ばす（図８（ｅ）参照）。
そして、吸引口２０の頭部３９の開封用切欠部３９ａを介して、頭部３９を切除することで吸引口２０のストロー状部２０ａも切除され、吸引口２０を口に咥えつつ袋体１３内に充填される洗口剤２を口腔内に吸引することができる。
【００７３】
又、前記洗口剤２による口腔内リンシング操作に先だって、図８（ａ）に示す、折リ畳まれて、セットされる口腔内リンシングセットＥのコップ体１を、前記折り畳みとは逆に、図８（ｂ）に示す如く、折り畳まれたコップ体１の前後両側板４，５の左右両側部を折目３６ａ、３６ｂを介して外側に折り返すとともに拡開片３３、遮蔽片３４を折目３５を介して、外側に折り返した後、図８（ｃ）に示す如く、本体３２を把持しつつ拡開片３３を手前に引きながら、遮蔽片３４を後方に押し広げることによりカップ体１の開口部１１を開口した状態に保持することがでる。
【００７４】
その後、前記拡開セット状態のカップ体１内に開口部１１を介して口腔内リンシング後の処理液を吐下することにより、カップ体１内の吸湿性（剤）シート１８により、吸湿、処理することができる。
【００７５】
尚、図８（ｆ）のように、前記リンシング後の吸引口２０は、背面開口部３８内に収納し、密閉シール４０を貼着して密閉し、さらに、吸湿処理後のカップ体１を、図８（ａ）、（ｂ）の如く折り畳むことによりカップ体１の開口部１１を密閉（シール）しつつ携行あるいは直接ゴミ処理することができる。
【符号の説明】
【００７６】
１      コップ体
２      洗口剤（液）
３      洗口剤部
４、５  前後両側板
６ａ    前後両側板の周辺部
６ｂ    前後両側板の開口縁
７      開封用切欠部
８      開封片
９      吸湿剤部
１０    ジップロック（シール手段）
１１    開口部
１２ａ、１２ｂ    形状記憶プラスチック板
１３    袋体
１５    折曲部（蛇腹部）
１６    ストロー（洗口剤の吸引手段）
１７    切除部
１８    吸湿性（剤）シート
１９    開封用針
２０    吸引口
２１    ネジキャップ
２２    シール片
２３、２４    キャップ
２５    周辺部
２６    一側辺部
２７    吐下用簡体
２８、２９    折曲部
３０    吐下用口部
３１    吸湿性高分子ポリマ
３２    本体
３３    拡開片
３４    遮蔽片
３５，３６ａ，３６ｂ    折目
３７    袋部
３８    開口部
３９    吸引口の頭部
４０    密閉シール
Ａ〜Ｅ  実施例１〜５の口腔内リンシングセット
【図１】
2014030519.tif 000003
【図２】
2014030519.tif 000004
【図３】
2014030519.tif 000005
【図４】
2014030519.tif 000006
【図５】
2014030519.tif 000007
【図６】
2014030519.tif 000008
【図７】
2014030519.tif 000009
【図８】
2014030519.tif 000010